(57)【要約】  本発明は、多重移動ルータの構造による携帯インターネットサービスのための移動ルータの代替方法を提供する。本発明は、多重携帯インターネット端末からの移動ネットワークアドレス設定要求に応じて、内部接続インターフェースを介して多重移動ルータのプレフィックスでアドレスを設定し、外部接続インターフェースを介して移動した位置にて仮のアドレス（ｃａｒｅ−ｏｆ−ａｄｄｒｅｓｓ）を設定した後、設定された仮のアドレスをインターネットを介してホームエージェントに登録する多重移動ルータの構造による携帯インターネットサービスのための移動ルータの代替方法において、１つの移動ルータが故障したとき、他の移動ルータが１つの移動ルータのルータ公告間隔を利用して故障を検出する故障検出ステップと、前記他の移動ルータが自己（前記他の移動ルータ）の内部接続インターフェースを介して前記１つの移動ルータのプレフィックスを代わりに公告する公告代理ステップと、前記他の移動ルータの外部接続インターフェースを介して前記１つの移動ルータのプレフィックスバインディング情報を前記ホームエージェントに登録するバインディング情報登録代理ステップとを含む。
2008526088.tif 000002
【特許請求の範囲】
【請求項１】
多重携帯インターネット端末からの移動ネットワークアドレス設定要求に応じて、内部接続インターフェースを介して多重移動ルータのプレフィックスでアドレスを設定し、外部接続インターフェースを介して移動した位置にて仮のアドレス（ｃａｒｅ−ｏｆ−ａｄｄｒｅｓｓ）を設定した後、設定された仮のアドレスをインターネットを介してホームエージェントに登録する多重移動ルータの構造による携帯インターネットサービスのための移動ルータの代替方法において、
１つの移動ルータが故障したとき、他の移動ルータが１つの移動ルータのルータ公告間隔を利用して故障を検出する故障検出ステップと、
前記他の移動ルータが自己（前記他の移動ルータ）の内部接続インターフェースを介して前記１つの移動ルータのプレフィックスを代わりに公告する公告代理ステップと、
前記他の移動ルータの外部接続インターフェースを介して前記１つの移動ルータのプレフィックスバインディング情報を前記ホームエージェントに登録するバインディング情報登録代理ステップと
を含むことを特徴とする携帯インターネットサービスのための移動ルータの代替方法。
【請求項２】
前記多重移動ルータが、
同じ移動ネットワークに属する他の移動ルータのルータ公告周期及びプレフィックス情報を格納することを特徴とする請求項１に記載の携帯インターネットサービスのための移動ルータの代替方法。
【請求項３】
前記多重移動ルータが、
前記格納された情報のプレフィックス情報及び公告周期情報を公告メッセージを送信する移動ルータの故障の検出に用いることを特徴とする請求項１に記載の携帯インターネットサービスのための移動ルータの代替方法。
【請求項４】
前記他の移動ルータが、
前記１つの移動ルータのルータ公告周期及びプレフィックス情報を保管しておき、周期になっても前記移動ルータのルータ公告がない場合、前記１つの移動ルータの故障を検出して前記１つの移動ルータの機能を代替することにより、前記１つの移動ルータのプレフィックスでＩＰ（Ｉｎｔｅｒｎｅｔ  Ｐｒｏｔｏｃｏｌ）アドレスを設定した前記携帯インターネット端末がＩＰアドレスの再設定をしないようにすることを特徴とする請求項３に記載の携帯インターネットサービスのための移動ルータの代替方法。
【請求項５】
多重携帯インターネット端末からの移動ネットワークアドレス設定要求に応じて、内部接続インターフェースを介して多重移動ルータのプレフィックスでアドレスを設定し、外部接続インターフェースを介して移動した位置にて仮のアドレス（ｃａｒｅ−ｏｆ−ａｄｄｒｅｓｓ）を設定した後、設定された仮のアドレスをインターネットを介してホームエージェントに登録するプロセッサを備えた携帯インターネットサービスシステムに、
１つの移動ルータが故障したとき、他の移動ルータが１つの移動ルータのルータ公告間隔を利用して故障を検出する故障検出機能と、
前記他の移動ルータが自己（前記他の移動ルータ）の内部接続インターフェースを介して前記１つの移動ルータのプレフィックスを代わりに公告する公告代理機能と、
前記他の移動ルータの外部接続インターフェースを介して前記１つの移動ルータのプレフィックスバインディング情報を前記ホームエージェントに登録するバインディング情報登録代理機能と
を実現させるためのプログラムを記録したことを特徴とするコンピュータ読み取り可能な記録媒体。
【発明の詳細な説明】
【技術分野】
【０００１】
本発明は、多重移動ルータの構造による携帯インターネットサービスのための移動ルータの代替方法、及び当該方法を実現させるためのプログラムを記録したコンピュータ読み取り可能な記録媒体に関し、より詳細には、グループで移動する携帯インターネット端末がネットワークを形成し、ネットワーク単位で移動性を管理するネットワーク移動性プロトコル（ｎｅｔｗｏｒｋ  ｍｏｂｉｌｉｔｙ  ｐｒｏｔｏｃｏｌ）を搭載した多重移動ルータがサービスを行う場合において、いずれか１つの移動ルータが故障したとき、他の移動ルータをもって故障した移動ルータのプレフィックス公告機能（ｒｏｕｔｅｒ  ａｄｖｅｒｔｉｓｅｍｅｎｔ  ｆｕｎｃｔｉｏｎ）を継続できるようにする、携帯インターネットサービスのための移動ルータの代替方法、及び当該方法を実現させるためのプログラムを記録したコンピュータ読み取り可能な記録媒体に関する。
【背景技術】
【０００２】
各移動ルータが内部接続インターフェースを介して互いに異なるプレフィックスを公告（ｎｏｔｉｆｙ）し、かつ内部接続された携帯インターネット端末に対してサービスを行う場合、いずれか１つの移動ルータが故障すると、その移動ルータが公告したプレフィックスを用いてＩＰアドレスを自動設定（ａｕｔｏｃｏｎｆｉｇｕｒａｔｉｏｎ）した携帯インターネット端末は、これ以上そのアドレスを使用できなくなるため、他のプレフィックスを用いてＩＰアドレスを再設定しなければならない。
【０００３】
したがって、このようなＩＰアドレスの再設定は、時間遅延を誘発して携帯インターネット端末のサービスの中断を招きかねない問題がある。
【発明の開示】
【発明が解決しようとする課題】
【０００４】
そこで、本発明は、上記のような問題を解決するために提案されたものであり、その目的は、グループで移動する携帯インターネット端末とインターネットとを接続する多重移動ルータ（ｍｕｌｔｉｐｌｅ  ｍｏｂｉｌｅ  ｒｏｕｔｅｒ）のいずれか１つのルータが故障したとき、他の移動ルータをもって故障した移動ルータのプレフィックス公告を代替できるようにするための、携帯インターネットサービスのための移動ルータの代替方法、及び当該方法を実現させるためのプログラムを記録したコンピュータ読み取り可能な記録媒体を提供することにある。
【０００５】
本発明の他の目的及び長所は、下記の説明によって理解することができ、本発明の実施形態により更に明確になるはずである。また、本発明の目的及び長所は、特許請求の範囲に示す手段及びその組み合わせにより実現され得ることが容易に分かるであろう。
【課題を解決するための手段】
【０００６】
上記の目的を達成するための本発明の方法は、多重携帯インターネット端末からの移動ネットワークアドレス設定要求に応じて、内部接続インターフェースを介して多重移動ルータのプレフィックスでアドレスを設定し、外部接続インターフェースを介して移動した位置にて仮のアドレス（ｃａｒｅ−ｏｆ−ａｄｄｒｅｓｓ）を設定した後、設定された仮のアドレスをインターネットを介してホームエージェントに登録する多重移動ルータの構造による携帯インターネットサービスのための移動ルータの代替方法において、１つの移動ルータが故障したとき、他の移動ルータが１つの移動ルータのルータ公告間隔を利用して故障を検出する故障検出ステップと、前記他の移動ルータが自己（前記他の移動ルータ）の内部接続インターフェースを介して前記１つの移動ルータのプレフィックスを代わりに公告する公告代理ステップと、前記他の移動ルータの外部接続インターフェースを介して前記１つの移動ルータのプレフィックスバインディング情報を前記ホームエージェントに登録するバインディング情報登録代理ステップとを含んでなることを特徴とする。
【０００７】
一方、本発明は、多重携帯インターネット端末からの移動ネットワークアドレス設定要求に応じて、内部接続インターフェースを介して多重移動ルータのプレフィックスでアドレスを設定し、外部接続インターフェースを介して移動した位置にて仮のアドレス（ｃａｒｅ−ｏｆ−ａｄｄｒｅｓｓ）を設定した後、設定された仮のアドレスをインターネットを介してホームエージェントに登録するプロセッサを備えた携帯インターネットサービスシステムに、１つの移動ルータが故障したとき、他の移動ルータが１つの移動ルータのルータ公告間隔を利用して故障を検出する故障検出機能と、前記他の移動ルータが自己（前記他の移動ルータ）の内部接続インターフェースを介して前記１つの移動ルータのプレフィックスを代わりに公告する公告代理機能と、前記他の移動ルータの外部接続インターフェースを介して前記１つの移動ルータのプレフィックスバインディング情報を前記ホームエージェントに登録するバインディング情報登録代理機能とを実現させるためのプログラムを記録したコンピュータ読み取り可能な記録媒体を提供する。
【０００８】
したがって、本発明は、移動ネットワークに属する移動ルータのルータ公告メッセージを聴取し、いずれか１つの移動ルータのルータ公告が中断されると、ルータの故障を検出し、このルータのルータ公告機能を代替することにより、故障した移動ルータのプレフィックスを用いてアドレスを設定した携帯インターネット端末の接続維持機能を保障できるようにする。
【発明の効果】
【０００９】
本発明は、携帯インターネットサービス網の移動ルータに実現されてインターネット接続を支援する機能において、携帯インターネット端末とインターネットとの接続を持続的に維持保障することができる効果がある。特に、鉄道、バスなどのような大規模な車両が複数の携帯インターネットに対してサービスを行いながら移動する場合の、サービス時における接続率を向上させ、サービスを効率的に提供するとともに運用管理することができる効果がある。
【発明を実施するための最良の形態】
【００１０】
上述した目的、特徴及び長所は、添付された図面に関する以下の詳細な説明により更に明確になるはずであり、それにより、本発明の属する技術分野における通常の知識を有する者が本発明の技術的思想を容易に実施することができるであろう。また、本発明を説明するにあたり、本発明に係る公知技術に関する具体的な説明が本発明の要旨を不明瞭にする可能性があると判断された場合、その詳細な説明を省略することにする。以下、添付された図面を参照して本発明の好ましい実施形態をより詳細に説明する。
【００１１】
図１は、本発明が適用される携帯インターネットサービスシステムの構成例を示す図であって、移動ルータを備えるグループの携帯インターネットサービス網の構造を示すものである。
【００１２】
同図に示すように、図中の符号「１１」は携帯インターネット端末、「１２」は移動ルータ、「１３」はホームエージェント、「１４」はバインディングキャッシュ、「１５」は移動ネットワーク、「１６」はインターネットをそれぞれ表す。ここで、多重携帯インターネット端末１１は、携帯インターネット端末１（１１１）及び携帯インターネット端末２（１１２）であり、多重移動ルータ１２は、移動ルータ１（１２１）及び移動ルータ２（１２２）である。
【００１３】
同図は、携帯インターネットサービス網における移動ルータの位置を示している。インターネット１６と多重携帯インターネット端末１１とを接続し、携帯インターネット端末１１とともに移動する多重移動ルータ１２は、接続された携帯インターネット端末１１の移動性を管理する。そのため、携帯インターネット端末１１は、移動に対する透明性が保障され、移動ルータ１２が移動ネットワーク１５の位置をホームエージェント１３のバインディングキャッシュ１４に登録することにより、移動ネットワークに属する全ての携帯インターネット端末１１の位置にホームエージェント１３がパケットを伝送することができる。
【００１４】
したがって、移動ルータ１（１２１）及び移動ルータ２（１２２）は、それぞれ異なるプレフィックスを公告し、携帯インターネット端末１（１１１）は、移動ルータ１（１２１）のプレフィックスでアドレスを設定し、携帯インターネット端末２（１１２）は、移動ルータ２（１２２）のプレフィックスでアドレスを設定したと仮定したとき、本発明は、次のように作動する。
【００１５】
まず、移動ルータ１（１２１）が故障した場合、移動ルータ１（１２１）は、ルータ公告周期になってもルータ公告ができない。
【００１６】
したがって、移動ルータ２（１２２）は、移動ルータ１（１２１）のルータ公告周期及びプレフィックス情報を保管しておき、周期になっても移動ルータ１（１２１）のルータ公告がなければ、移動ルータ１（１２１）の故障を検出して移動ルータ１（１２１）の機能を代替することにより、故障した移動ルータ１（１２１）のプレフィックスでＩＰアドレスを設定した携帯インターネット端末１１がＩＰアドレスの再設定をしないようにする。
【００１７】
以下では、上述の構成を有する本発明に係る携帯インターネットサービスのための移動ルータの代替方法の動作を詳細に説明する。
【００１８】
図２は、本発明に係る携帯インターネットサービスのための移動ルータの代替方法に関する一実施形態を示す説明図であって、図中の符号「１２１」及び「１２２」は移動ルータ１及び移動ルータ２、「２１」及び「２２」は内部接続ネットワークインターフェース（ｉｎｇｒｅｓｓ  ｉｎｔｅｒｆａｃｅ）、「２３」及び「２４」は外部接続ネットワークインターフェース（ｅｇｒｅｓｓ  ｉｎｔｅｒｆａｃｅ）をそれぞれ表す。
【００１９】
同図に示すように、移動ルータ１（１２１）及び移動ルータ２（１２２）は、２種類のネットワークインターフェースを運用することを表す。内部接続インターフェース２１，２２は、携帯インターネット端末１１が移動ネットワーク１５のアドレスを設定できるように移動ネットワークプレフィックスを公告する。
【００２０】
一方、外部接続インターフェース２３，２４は、移動した位置にて仮のアドレス（ｃａｒｅ−ｏｆ−ａｄｄｒｅｓｓ）を設定し、インターネット１６を介してホームエージェント１１に登録する。いずれか１つの移動ルータ１２１が故障した場合、これを代替する移動ルータ１２２は、自己の内部接続インターフェース２２を介して故障した移動ルータ１２１のプレフィックスを公告し、自己の外部接続インターフェース２４を介して故障した移動ルータ１２１のプレフィックスバインディング情報をホームエージェント１３に登録する。
【００２１】
一方、多重移動ルータ１２は、同じ移動ネットワークに属する他の移動ルータのルータ公告周期及びプレフィックス情報を格納し、格納された公告周期情報を公告メッセージを送信する移動ルータの故障の検出に用いる。
【００２２】
上記のように、本発明は、携帯インターネットグループサービスのためのネットワーク移動性プロトコル（ｎｅｔｗｏｒｋ  ｍｏｂｉｌｉｔｙ  ｐｒｏｔｏｃｏｌ）の構成要素である移動ルータを多重に構成するとき、１つの移動ルータが故障したら、他の移動ルータが故障した移動ルータのプレフィックスを代わりに公告（ｒｏｕｔｅｒ  ａｄｖｅｒｔｉｓｅｍｅｎｔ）するようにすることにより、そのプレフィックスを使用する携帯インターネット端末に対するサービス維持機能を向上させ、サービスを効率的に提供するとともに運用管理することができる長所がある。
【００２３】
上述した本発明の方法は、プログラムとして実現され、コンピュータ読み取り可能な形態で記録媒体（ＣＤ−ＲＯＭ、ＲＡＭ、ＲＯＭ、フロッピーディスク、ハードディスク、光磁気ディスクなど）に格納され得る。このような過程は、本発明の属する技術分野における通常の知識を有する者が容易に実施できることから、これ以上の詳細な説明は省略する。
【００２４】
以上で説明した本発明は、本発明の属する技術分野における通常の知識を有する者にとって、本発明の技術的思想を逸脱しない範囲内で様々な置換、変形及び変更が可能なため、上述した実施形態及び添付された図面により限定されるものではない。
【図面の簡単な説明】
【００２５】
【図１】本発明が適用される携帯インターネットサービスシステムの構成例を示す図である。
【図２】本発明に係る携帯インターネットサービスのための移動ルータの代替方法に関する一実施形態を示す説明図である。
【図１】
2008526088.tif 000003
【図２】
2008526088.tif 000004
【国際調査報告】
2008526088.tif 000005
2008526088.tif 000006